【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
適合性の高いテレビメタデータの要求を送信する動作と、
ユニキャストバーストを介して前記適合性の高いテレビメタデータを受信する動作と、
マルチキャストストリームを介して適合性の低いテレビメタデータを受信する動作と、
を実行するように構成されるクライアント機器であって、
前記マルチキャストストリームが、繰り返しカルーセル方式の適合性の低いテレビメタデータを備え、前記テレビメタデータが電子番組ガイド（ＥＰＧ）のデータを有し、
前記適合性の高いテレビメタデータと前記適合性の低いテレビメタデータとを混合する動作であって、同時に、前記電子番組ガイドが、前記ユニキャストバーストを介して受信された適合性の高いテレビメタデータと、前記マルチキャストストリームを介して受信された適合性の低いテレビメタデータとの一部で構成する、動作を実行するように構成されたことを特徴とするクライアント機器。
【請求項２】
前記適合性の高いテレビメタデータが、多数のテレビチャンネルに関するサービス情報を備えることを特徴とする請求項１に記載のクライアント機器。
【請求項３】
前記適合性の高いテレビメタデータが、所定の適合性の高い期間のための電子番組ガイドデータを備えることを特徴とする請求項１に記載のクライアント機器。
【請求項４】
前記適合性の高いテレビメタデータを処理することと、
１つまたは複数のユーザ命令に応答して、前記処理された適合性の高いテレビメタデータの少なくとも一部を利用することと、
から成るさらなる動作を実行するように構成されることを特徴とする請求項１に記載のクライアント機器。
【請求項５】
利用される前記処理された適合性の高いテレビメタデータの一部が、合致するバージョンを有する適合性の低いテレビメタデータが前記マルチキャストストリーム内の前記繰り返しカルーセル方式のテレビメタデータの一部として受信されるより前に、利用されることを特徴とする請求項４に記載のクライアント機器。
【請求項６】
前記混合動作が実行されると、前記クライアント機器のユーザに漸次多くのテレビ機能を提供する動作を実行するように、さらに、構成されたことを特徴とする請求項１に記載のクライアント機器。
【請求項７】
クライアント機器から適合性の高いテレビメタデータの要求を受信するステップと、
適合性の高いテレビメタデータバーストを決定するステップと、
前記受信に応答して、前記適合性の高いテレビメタデータバーストを前記クライアント機器へユニキャストバースト通信を介して送信するステップと、
適合性の低いテレビメタデータストリームを、前記クライアント機器を有する複数の追加クライアント機器へ、マルチキャストストリーム通信を介して送信するステップであって、前記適合性の低いテレビメタデータが少なくとも前記適合性の高いテレビメタデータの一部を含み、かつ、前記適合性の高いテレビメタデータおよび前記適合性の低いテレビメタデータが電子番組ガイド（ＥＰＧ）のデータを有する、ステップと、
前記適合性の高いテレビメタデータと前記適合性の低いテレビメタデータとを混合するステップであって、同時に、前記電子番組ガイドが、前記ユニキャストバーストを介して受信された適合性の高いテレビメタデータと、前記マルチキャストストリームを介して受信された適合性の低いテレビメタデータとの一部で構成されている、ステップと、
を含むことを特徴とするサーバの方法。
【請求項８】
前記要求が、適合性の高いテレビメタデータ期間を含み、
前記決定するステップが、前記適合性の高いテレビメタデータ期間に基づいて前記適合性の高いテレビメタデータバーストを決定すること、
を含むことを特徴とする請求項７に記載の方法。
【請求項９】
前記適合性の高いテレビメタデータバーストが、多数のそれぞれのネットワークロケーションおよび多数のそれぞれのテレビチャンネルのビットレートの対を含むサービス情報を含むことを特徴とする請求項７に記載の方法。
【請求項１０】
前記適合性の高いテレビメタデータバーストが、適合性の高いＥＰＧ期間に対応する電子番組ガイドデータを含むことを特徴とする請求項７に記載の方法。
【請求項１１】
前記決定するステップが、所定の適合性の高いテレビメタデータ期間に基づいて、時が来ると前記適合性の高いテレビメタデータバーストを繰り返し決定することを含むことを特徴とする請求項７に記載の方法。
【請求項１２】
前記決定が、前記電子番組ガイドの最小の時間粒度に対応した間隔で繰り返されることを特徴とする請求項１１に記載の方法。
【請求項１３】
前記受信に応答して、前記適合性の高いテレビメタデータバーストを前記クライアント機器へユニキャスト通信を介して送信する前記ステップが、第１の通信チャンネルを利用して前記適合性の高いテレビメタデータバーストを前記クライアント機器へ前記ユニキャスト通信を介して送信することと、
前記信頼性の低いテレビメタデータストリームを、複数の追加のクライアント機器へ、マルチキャスト通信を介して送信する前記ステップが、第２の異なる通信チャンネルを利用して前記テレビメタデータストリームを、前記複数の追加のクライアント機器へ、マルチキャスト通信を介して送信することと、
を特徴とする請求項７に記載の方法。
【請求項１４】
複数のクライアントとサーバ機器を備えたテレビシステムであって、前記サーバ機器が、
電子番組ガイド（ＥＰＧ）データを有する媒体と、
前記ＥＰＧデータを、前記適合性の高いＥＰＧ期間に対応する適合性の高いＥＰＧデータを抽出する少なくとも適合性の高いＥＰＧ期間と、前記適合性の低いＥＰＧ期間に対応する適合性の低いＥＰＧデータを抽出する少なくとも適合性の低いＥＰＧ期間とに区分するテレビメタデータセグメンタと、
それぞれの適合性の高いＥＰＧデータバーストを、それぞれのユニキャスト通信を介して、複数のクライアントのそれぞれに送信し、かつ、それぞれの信頼性の低いＥＰＧデータストリームを、前記複数のクライアントへ、マルチキャスト通信を介して送信する、テレビメタデータディセミネータと、
を備え、
前記複数のクライアントのそれぞれは、前記適合性の高いテレビメタデータと前記適合性の低いテレビメタデータとを混合し、同時に、前記電子番組ガイドが、前記ユニキャストバーストを介して受信された適合性の高いテレビメタデータと、前記マルチキャストストリームを介して受信された適合性の低いテレビメタデータとの一部で構成されていることを特徴とするテレビシステム。
【請求項１５】
前記サーバ機器が、テレビシステムのヘッドエンドの少なくとも一部を備えることを特徴とする請求項１４に記載のテレビシステム。
【請求項１６】
前記それぞれのユニキャスト通信が、前記多数のクライアントのそれぞれからの、多数のそれぞれの適合性の高いＥＰＧデータ要求の受信に応答して、前記複数のクライアントのそれぞれへ送信されることを特徴とする請求項１４に記載のテレビシステム。
【請求項１７】
前記複数のクライアントへ前記マルチキャスト通信を介して送信された前記ＥＰＧデータストリームが、繰り返しカルーセル方式のＥＰＧデータから成ることを特徴とする請求項１４に記載のテレビシステム。
【請求項１８】
各適合性の高いＥＰＧデータバーストが、現在時間から開始し適合性の高いＥＰＧ期間の終了まで拡大するＥＰＧデータの一部から成ることを特徴とする請求項１７に記載のテレビシステム。
【請求項１９】
前記媒体が、多数のテレビチャンネルのサービス情報（ＳＩ）を有することと、
前記テレビメタデータディセミネータが、前記サービス情報を前記複数のクライアントのそれぞれへ前記それぞれのユニキャスト通信を介して送信することと、
を特徴とする請求項１４に記載のテレビシステム。